(57)【要約】【課題】  原稿を監視するための複数の光検出器に対する光源を共通して利用する画像読取装置を提供する。【解決手段】  本発明に係る画像読取装置は、原稿を読み取る画像読取部と、複数の原稿を載置できる載置部と、原稿を前記載置部から前記画像読取部へ搬送する搬送部と、前記載置部に載置された原稿を光によって検知する第１の光検出器と、前記搬送部によって前記画像読取部へ搬送される原稿を光によって検知する第２の光検出器と、を備え、前記第１の光検出器と前記第２の光検出器で共通して利用する発光部を有し、前記第１の光検出器と前記第２の光検出器が、前記発光部からの透過光または原稿で反射された反射光のいずれか一方を受光できることを特徴とする。【選択図】  図２
2020036238.tif 000002
【特許請求の範囲】
【請求項１】
原稿を読み取る画像読取部と、
複数の原稿を載置できる載置部と、
原稿を前記載置部から前記画像読取部へ搬送する搬送部と、
前記載置部に載置された原稿を光によって検知する第１の光検出器と、
前記搬送部によって前記画像読取部へ搬送される原稿を光によって検知する第２の光検出器と、を備える画像読取装置であって、
前記第１の光検出器と前記第２の光検出器で共通して利用する発光部を有し、
前記第１の光検出器と前記第２の光検出器が、前記発光部からの透過光または原稿で反射された反射光のいずれか一方を受光できることを特徴とする画像読取装置。
【請求項２】
前記第１の光検出器および前記第２の光検出器は、前記透過光を受光できることを特徴とする請求項１に記載の画像読取装置。
【請求項３】
前記第１の光検出器および前記第２の光検出器は、前記反射光を受光できることを特徴とする請求項１に記載の画像読取装置。
【請求項４】
前記第１の光検出器は前記透過光を受光でき、前記第２の光検出器は前記反射光を受光できることを特徴とする請求項１に記載の画像読取装置。
【請求項５】
前記第１の光検出器で原稿の検知をした後、前記発光部の電流量または発光のデューティ比を変えて光量を変更することを特徴とする請求項１乃至４の何れか１項に記載の画像読取装置。
【請求項６】
前記第２の光検出器で原稿が検知されている状態から原稿が検知されない状態に変化した時に、さらに前記第１の光検出器で原稿が検知されない場合、前記搬送部による原稿の搬送を停止することを特徴とする請求項１乃至５の何れか１項に記載の画像読取装置。
【請求項７】
原稿の幅を光によって検知する原稿幅検知手段をさらに備え、原稿幅検知手段の光源として前記発光部を利用することを特徴とする請求項１乃至６の何れか１項に記載の画像読取装置。
【請求項８】
原稿を読み取る画像読取部と、
複数の原稿を載置できる載置部と、
原稿を前記載置部から前記画像読取部へ給紙する搬送部と、
前記載置部にある原稿を光によって検知する第１の光検出器と、
前記搬送部によって前記画像読取部へ搬送された原稿を光によって検知する第２の光検出器と、を備える画像読取装置の画像読取方法であって、
前記画像読取部は、前記第１の光検出器と前記第２の光検出器で共通して利用する発光部を有し、
前記第１の光検出器で原稿を検知する第１の工程と、
前記発光部の制御方法を変更する第２の工程と、
前記第２の光検出器で原稿を検知する第３の工程と、を有することを特徴とする画像読取方法。
【請求項９】
前記制御方法が、前記発光部の電流量または発光のデューティ比を変えて光量を変更することを特徴とする請求項８に記載の画像読取方法。
【発明の詳細な説明】
【技術分野】
【０００１】
本発明は、自動給紙による画像読取機能を備えた画像読取装置に関するものである。
【背景技術】
【０００２】
特許文献１には、給紙トレイに載置した原稿をコンタクトイメージセンサで連続的に読み取る自動給紙による画像読取機能を備えた画像読取装置が開示されている。原稿を連続的に読み取る場合、原稿を搬送する速度をできるだけ速くする必要がある。その結果、原稿が重なることによる紙詰まりが発生しやすくなる。したがってこのような画像読取装置では、給紙トレイおよび搬送経路の原稿を複数の検知手段で監視している。
【先行技術文献】
【特許文献】
【０００３】
【特許文献１】特開２００２−３００３４５
【発明の概要】
【発明が解決しようとする課題】
【０００４】
このように従来の画像読取装置は、原稿を監視するために複数の検出器を有していた。検出器として光検出器を利用する場合、それぞれに光源が必要となる。この結果、光源に加えて光源の駆動回路、電源ケーブルなどの部品点数の増大及び消費電力の増大を招くことになる。
【０００５】
本発明は、上記課題を解決するためになされたものであり、原稿を監視するための複数の光検出器に対する光源を共通して利用する画像読取装置を提供する。
【課題を解決するための手段】
【０００６】
本発明に係る画像読取装置は、原稿を読み取る画像読取部と、複数の原稿を載置できる載置部と、原稿を前記載置部から前記画像読取部へ搬送する搬送部と、前記載置部に載置された原稿を光によって検知する第１の光検出器と、前記搬送部によって前記画像読取部へ搬送される原稿を光によって検知する第２の光検出器と、を備え、前記第１の光検出器と前記第２の光検出器で共通して利用する発光部を有し、前記第１の光検出器と前記第２の光検出器が、前記発光部からの透過光または原稿で反射された反射光のいずれか一方を受光できることを特徴とする。
【発明の効果】
【０００７】
本発明により、原稿を検知するための光源および光源の駆動回路などの部品点数を減らし、消費電力を低減することができる。
【図面の簡単な説明】
【０００８】
【図１】画像読取装置のシステム構成を示す図である。
【図２】自動給紙画像読取機構の断面図である。
【図３】自動給紙による画像読取動作を示すフローチャートである。
【図４】光検出器で原稿の有無を検知する状態を示す図である。
【図５】第２の実施形態における光検出器に対する発光部の光量を調整するためのフローチャートである。
【図６】第２の実施形態における発光部の電力消費を低減する自動給紙による画像読取の動作を示すフローチャートである。
【発明を実施するための形態】
【０００９】
以下、本発明の実施形態について図面を参照して説明する。
【００１０】
（第１の実施形態）
（画像読取装置のシステム構成）
本発明の画像読取装置であるスキャナ装置のシステム構成を図１に示す。なお、画像読取装置は、スキャナ装置に限らず、画像読取機能、画像印刷機能および画像複製機能を兼ね備える複合機であってもよい。
【００１１】
画像読取装置は、ユーザからの指示に基づき各種制御を行うシステム部１１、原稿を給紙しながら画像を読み取る自動給紙画像読取機構１５からなる。システム部１１は、各種制御の指令を行うＣＰＵ１１０と、この指令に基づき制御信号を発生させる画像処理部１１１、駆動制御部１１２およびセンサ制御部１１３を有している。また、情報を記憶する主記憶部１１４および補助記憶部１１５と、ユーザからの指示を入力する操作部１１６およびインタフェースコントローラ（ＩＦコントローラ）１１７を有している。
【００１２】
ＣＰＵ１１０は、画像読取装置の全ての制御・駆動・演算を行うデバイスである。補助記憶部１１５内に保存されている画像読取装置の動作プログラムと設定情報に基づき、画像読取装置の制御を行う。補助記憶部１１５は、フラッシュメモリ、ＥＥＰＲＯＭ、ＨＤＤ等である。補助記憶部１１５には、画像読取装置の動作プログラム、画像読取装置の設定情報、発光部１４０に流す電流量を調節するためのプログラム、基準紙の設定などが記憶されている。また、主記憶部１１４は、ＳＤＲＡＭ等のメモリであり、画像読取装置の動作プログラム、画像データの一時的な保存が行われる。
【００１３】
画像処理部１１１は、アナログフロントエンド回路により画像読取モジュール１３の制御を行う。原稿の画像の読み取りは、画像読取部１３０、不図示の光源、および駆動部１２と連携して行う。画像処理部１１１は、画像読取部１３０からの入力信号と基準電圧の差を画像信号レベルとし、その画像信号レベルをサンプリングして、デジタルデータに変換する。画像処理部１１１は読み取った画像データをＣＰＵ１１０に送信し、さらにＣＰＵ１１０がＩＦコントローラ１１７を介して情報機器２に画像データを送信する。
【００１４】
駆動制御部１１２は、モータードライバ回路によって駆動部１２の制御を行う。駆動部１２は、読取部駆動モーター１２５、搬送モーター１２１で構成されている。駆動制御部１１２は、ＣＰＵ１１０より受けた動作プログラムの命令に従って、画像読取部１３０の移動を行う読取部駆動モーター１２５と、給紙トレイに設置した原稿の給紙および搬送を行う搬送モーター１２１の制御信号を発生する。画像読取部１３０は、読取部駆動モーター１２５とタイミングベルトを用いて原稿読取位置１５２に移動される。なお、タイミングベルト１２２は、原稿台に載置された原稿の画像を読み取る際にも用いられる。この際、画像読取部１３０は読取部駆動モーター１２５に送られた制御信号に従い原稿の長手方向に往復移動する。搬送モーター１２０は、ギア列により、ピックアップローラ１２３、搬送ローラ１２１、排紙ローラ１２４を回転駆動することができる。なお、これらは本発明の搬送部である。
【００１５】
センサ制御部１１３は原稿検知部１４の制御を行う。原稿検知部１４は、発光部１４０、透過光検出器１４１、反射光検出器１４２で構成される。ここでは、透過光検知器１４１で給紙トレイにおける原稿の有無の検知、反射光検出器１４２で搬送経路における原稿のエッジの検知を行う。発光部１４０に対してセンサ制御部１１３は、電力の供給切替、電流量の調整および周期的な発光をさせる場合のデューティ比の調整を行う。また、透過光または反射光の光検出器に対しては、電力の供給切替と、原稿の有無の検知または原稿のエッジの検知を行う。光検出器から検知に関する信号を受け取るとセンサ制御部１１３は、ＣＰＵ１１０に検知した情報を送信する。
【００１６】
ユーザの指示は、情報機器２または操作部１１６から行われる。情報機器２は、デスクトップタイプのＰＣや、ノートＰＣ、スマートフォンなどである。情報機器２を使用する場合、ＩＦコントローラ１１７を介して画像読取装置の操作データの送信および画像読取装置からの画像データの受信を行う。ＩＦコントローラ１１７は、ＵＳＢ、ＬＡＮ等の通信ＩＣである。なお、有線に限定せず、ＷＬＡＮに代表される無線通信のＩＣであってもよい。操作部１１６は、画像読取装置に設けられたタッチパネル、スイッチ等である。操作部１１６を使用する場合、ユーザが画像読取装置を直接操作する。
【００１７】
（自動給紙画像読取機構）
つぎに、自動給紙画像読取機構の断面図を図２に示す。自動給紙画像読取機構１５は、主に給紙トレイ１５０、搬送ローラ１２１、画像読取部１３０、発光部１４０、透過光検出器１４１、反射光検出器１４２、排紙トレイ１５３で構成される。
【００１８】
給紙トレイ１５０は、画像読取装置の原稿を載置する載置部で、複数枚の原稿を載置することができる。給紙トレイ１５０に載置された原稿は、発光部１４０と透過光検出器１４１を用いて検知される。発光部１４０としては、可視光または赤外光のＬＥＤまたはレーザー等の発光素子であればよく、ここでは可視光のＬＥＤを用いる。また、発光部１４０は、透過光検出器１４１と反射光検出器１４２の共通の光源として利用される。そのため発光部１４０は、搬送経路１５１の下流側に配置されている。その結果、発光部１４０から透過光検出器１４１までの距離が長くなるため、発光部１４０からの直接光を集光レンズ１４５で集光して透過光検出器１４１に到達させる。集光レンズ１４５の材質は、ガラス、プラスチックなどである。なお、光ファイバ等を用いて発光部１４０の光を導光してもよい。
【００１９】
透過光検出器１４１は、給紙トレイの原稿を検知でき、発光部１４０からの光を直接受光できる位置に配置される。透過光検出器１４１として、光を受け素子内の少数キャリアの移動により抵抗値が変化するフォトダイオードを用いる。フォトダイオードは、光量によって抵抗値が高い状態と低い状態を切り替えるスイッチとして機能する。光を用いることにより原稿の浮きに関係なく高い精度で原稿を検知できる。原稿によって透過光検出器１４１へ到達する透過光が遮断されるとフォトダイオードが高抵抗になる。この結果、給紙トレイ１５０に原稿が載置されたことを判定できる。なお、光を遮断する方法としては、原稿の加重で可動するアクチュエーターを用いる間接的な方法であってもよい。
【００２０】
給紙トレイ１５０から供給された原稿は、搬送ローラ１２１によって読取位置１５２に搬送される。搬送ローラ１２１は、原稿の読取精度に応じた回転速度に調整された搬送モーター１２０によって回転駆動される。搬送経路１５１内の原稿は、搬送ローラ１２１と読取位置１５２の間にある反射光検出器１４２（第２の光検出器）によって検知される。反射光検知器１４２は、検出位置にある原稿からの反射光を受光できる位置に配置される。特に発光部１４０から原稿表面への入射角と原稿表面から反射光検出器１４２への反射角とが同じところが望ましい。なお、反射光検出器１４２は、原稿の有無だけでなく原稿の先端および後端を検知する原稿エッジ検知を行う。反射光検出器１４２として、光を受け素子内の少数キャリアの移動により抵抗が変化するフォトダイオードを用いる。反射光検出器１４２が原稿からの反射光を受光すると抵抗値が下がる。この結果、搬送経路１５１の検出位置に原稿が有ることを判定できる。
【００２１】
搬送ローラ１２１で搬送された原稿は、読取位置１５２で画像読取部１３０によって読み取られる。画像読取部１３０の読取センサは、コンタクトイメージセンサとも呼ばれ、ＣＭＯＳリニアイメージセンサである。画像読取部１３０は、画像読取部１３０に内蔵された発光素子から原稿に発光し、原稿からの反射光の入力レベルを信号にする。読み取られた原稿は、排紙ローラ１２４を用いて排紙トレイ１５３に排出される。
【００２２】
なお、本実施例では、透過光検出器と反射光検出器の組み合わせであったが、これに限られたものではない。すなわち、発光部を搬送経路１５１の内側に配置してもよい。例えば、発光部１４０を搬送経路の内部に配置し、受光部を搬送経路の外部に配置する構成を図２（ｂ）に示す。給紙トレイ１５０の原稿および搬送経路の原稿は光ファイバ１４３からの透過光で検知する。原稿が有る場合、透過光検出器１４１に到達する透過光が遮断されるため原稿を検知することができる。原稿の反射率が異なるため、透過光を用いることにより検出感度を上げることができる。次に、発光部１４０および受光部を搬送経路の内部に配置した構成を図２（ｃ）に示す。このように配置した場合、給紙トレイ１５０の原稿及び搬送経路の原稿は反射光で検知することができる。原稿が有る場合、反射光検知器１４２で原稿による反射光を受光することができるため原稿を検知することができる。搬送経路１５１の内側に光学系を配置することができるため、コンパクトな構成となる。
【００２３】
また、原稿幅検知センサの発光部をさらに共通して利用してもよい。原稿幅検知センサは、給紙トレイに配置され、Ａ４サイズ、はがきサイズなどの原稿の幅を光で検出する。この場合、例えば発光部または原稿幅検知に用いる光源を光ファイバで３つに分岐し、給紙トレイにおける原稿の有無の検知、搬送経路における原稿のエッジの検知、給紙トレイにおける原稿幅の検知を行う。
【００２４】
（自動給紙時の画像読取動作）
本発明の自動給紙時の画像読取動作について、図３のフローチャート及び図４の原稿検知の状態を示す図を用いて説明する。
【００２５】
Ｓ１０１で、自動給紙による画像読取を開始する。ユーザは、給紙トレイ１５０に原稿を載置する。その後、操作部１１６または情報機器２を用いて原稿の自動給紙による画像読取の動作指示を行う。
【００２６】
Ｓ１０２で、給紙トレイ１５０の原稿の検知を行う。ＣＰＵ１１０は、発光部１４０を発光させる。図４（ａ）のように原稿無しの場合、透過光検出器１４１は、発光部１４０からの透過光を受光する。この結果、センサ制御部１１３は、給紙トレイ１５０に原稿が無いと判定する。一方、図４（ｂ）のように原稿有りの場合、原稿により光を遮光される透過光検出器１４１は、透過光を受光できない。この結果、制御部１１３は給紙トレイ１５０に原稿が有ると判定する。センサ制御部１１３は、原稿が確認できるまで原稿検知動作を繰り返す。
【００２７】
Ｓ１０３で、原稿の給紙を開始する。搬送モーター１２０によりピックアップローラ１２３および搬送ローラ１２１を回転駆動する。この結果、原稿はピックアップローラ１２３により搬送ローラ１２１まで給紙され、搬送ローラにより原稿読取位置１５２に搬送される。
【００２８】
Ｓ１０４で、原稿の先端を検知する。原稿の給紙を開始すると、反射光検出器１４２による原稿の先端検知動作を開始する。原稿の先端が反射光検出器１４２の検出位置に到達するまで一定速度での搬送動作が継続する。搬送された原稿の先端が反射光検出器１４２の検出位置に到達すると、反射光検出器１４２が反射光を受光する。原稿が無い状態から有る状態に変化した時に、先端を検知したと判定する。
【００２９】
Ｓ１０５で、画像読取を開始する。原稿の先端が検知されると読取精度に応じた指定速度での搬送を行い、画像読取部１３０による画像読取を行う。また、反射光検出器１４２が原稿の反射光を受光すると、後端検知動作を開始する。
【００３０】
Ｓ１０６で、原稿の後端を検知する。図４（ｄ）における画像読取中、搬送された原稿が反射光検出器１４２の検出位置を通過する。また、後端が検知されるまで、読取精度に応じた指定速度での搬送動作が継続する。図４（ｅ）のように、搬送されている原稿の後端が反射光検出器１４２の検出位置を通過すると、反射光検出器１４２は、反射光を受光しなくなる。原稿が有る状態から無い状態に変化した時に、原稿の後端を検知したと判定する。
【００３１】
Ｓ１０７で、原稿検知を行う。原稿を排紙トレイ１５３まで排紙すると原稿の有無を確認する。給紙トレイ１５０に原稿が有る場合は次の原稿の画像を読み取るためＳ１０３へ戻る。一定時間経過しても給紙トレイ１５０で原稿の検知が無い場合はＳ１０８へ進む。
【００３２】
Ｓ１０８で、給紙を終了する。原稿が無いため搬送モーター１２０の回転駆動を中止する。また、透過光検出器１４１、反射光検出器１４１での原稿の検知、および発光部１４０の発光を終了する。
【００３３】
Ｓ１０９で終了する。自動給紙による画像読取りの一連の動作を完了する。
【００３４】
このようにすることで、原稿を検知するための光源および光源の駆動回路などの部品点数を減らし、消費電力を低減することができる。
【００３５】
（第２の実施形態）
第２の実施形態は、原稿を検知する際に発光部で使用する電力を削減するための制御である。システム構成および自動給紙画像読取機構は、それぞれ図１、２で示す構成を用いる。
【００３６】
（光量調整）
ここでは、給紙トレイ１５０の原稿と搬送経路の原稿を検知する際の発光部１４０の光量を設定する。この設定は初期設定を行う場合に行うが、原稿が正しく検知できない場合等のメンテナンスで行ってもよい。図５に、光検出器に対する発光部の光量を調整するためのフローチャートを示す。
【００３７】
Ｓ５０１で、光量調整を開始する。ユーザが操作部１１６または情報機器２よりメンテナンスモードで光量調整の開始の指示を行う。これにより、センサ制御部１１３は発光部１４０に最大の電流を供給する。なお、供給できる範囲は、例えば電流量として５〜１０ｍＡの範囲である。また、周期的に発光する光源の場合、光量を変更する方法はデューティ比を変更してもよい。例えば、デューティ比が１００％のときが最大の光量で、５０％のときが半分の光量になる。
【００３８】
Ｓ５０２で、透過光の検出を行う。発光部１４０からの透過光を透過光検出器１４１で検出できるかを判定する。透過光検出器１４１で光の検出ができると判定した場合、Ｓ５０３へ進む。透過光検出器１４１で光を検出できないと判定した場合、Ｓ５０４へ進む。
【００３９】
Ｓ５０３で、発光部１４０の光量を調整する。発光部１４０に供給する電流量を低く設定して光量を低下させる。なお、最大の電流量で検出できない場合は、操作部１１６または情報機器２にエラーを表示してユーザに知らせる。
【００４０】
Ｓ５０４で、電流量を記憶する。透過光を検出できたと判定した時の発光部１４０の電流量を補助記憶部１１５に記憶する。この時の電流量は給紙トレイ１５０の原稿を検知する際の設定値である。
【００４１】
Ｓ５０５で、基準紙セットの指示を行う。透過光を検出したため、反射光の検出を行う。この際、適切な電流量を設定するため反射光調整用の基準紙を用いる。そのため、操作部１１６もしくは情報処理装置２の画面に基準紙をセットするようにユーザに指示する。
【００４２】
Ｓ５０６で、基準紙の給紙を行う。ユーザが基準紙を給紙トレイ１５０に載置する。基準紙が載置されたと判定されると搬送モーター１２０による基準紙の給紙を行う。基準紙は、搬送ローラ１２１によって原稿の検出位置を超えて搬送される。また、発光部１４０に供給できる最大の電流量を供給する。
【００４３】
Ｓ５０７で、反射光の検出を行う。反射光検出器１４２が基準紙による反射光を受光できるか判定する。反射光を検出できないと判定した場合はＳ５０９へ進む。反射光が検出できると判定した場合はＳ５０８へ進む。
【００４４】
Ｓ５０８で、発光部１４０の光量を調整する。発光部１４０へ供給する電流量を小さく設定する。なお、最大の電流量で検出できない場合は、操作部１１６または情報機器２にエラーを表示してユーザに知らせる。
【００４５】
Ｓ５０９で、電流量を記憶する。反射光を検出できたと判定した時の発光部１４０の電流量を補助記憶部１１５に記憶する。この時の電流量は搬送経路１５１内の検出位置での原稿を検知する際の設定値である。
【００４６】
Ｓ５１０で終了する。発光部１４０、透過光検出器１４１、反射光検出器１４２への電力の供給を停止する。
【００４７】
（省電力のための制御）
図６に、発光部の電力消費を低減する自動給紙による画像読取の動作を示すフローチャートを示す。
【００４８】
Ｓ６０１で、自動給紙による画像読取を開始する。ユーザは、給紙トレイ１５０に原稿を載置する。その後、操作部１１６または情報機器２を用いて原稿の自動給紙による画像読取の動作指示を行う。
【００４９】
Ｓ６０２で、トレイの原稿を検知するための電流設定を行う。センサ制御部１１３は発光部１４０にＳ５０４で記憶した電流量を供給する。また、透過光検出器１４１のセンシング動作制御を行い、原稿検知動作を開始する。
【００５０】
Ｓ６０３で、給紙トレイ１５０の原稿の有無を検知する。透過光検出器１４１が光を受光しない場合、原稿が有ると判定される。原稿を検知するとＳ６０４に進む。
【００５１】
Ｓ６０４で、原稿の先端を検知するための電流設定を行う。センサ制御部１１３は発光部１４０にＳ５０９で記憶した電流量を供給する。また、透過光検出器１４１の原稿検知動作を停止し、反射光検出器１４２の先端検知動作を開始する。
【００５２】
Ｓ６０５で、原稿を給紙する。搬送モーター１２０により原稿の給紙および搬送を行う。
【００５３】
Ｓ６０６で、原稿の先端の検知を行う。搬送された原稿の先端が搬送経路１５１内の検出位置に到達し、反射光検出器１４２が反射光を受光する。原稿が無い状態から有る状態に変化した時に、先端を検知したと判定する。
【００５４】
Ｓ６０７で、画像読取部１３０による画像読取動作を行う。原稿の先端が検知されると読取精度に応じた指定速度での搬送動作を行い、画像読取部１３０による画像読取を行う。
【００５５】
Ｓ６０８で、原稿の後端の検知を行う。搬送されている原稿の後端が反射光検出器１４２の検出位置を通過すると、反射光検出器１４２は反射光を受光しなくなる。原稿が有る状態から無い状態に変化した時に、原稿の後端を検知したと判定する。
【００５６】
Ｓ６０９で、給紙トレイ１５０の原稿の検知設定を行う。原稿を排紙トレイ１５３まで排紙すると原稿の有無を確認する。センサ制御部１１３は発光部１４０にＳ５０９で記憶した電流量を供給する。
【００５７】
Ｓ６１０で、原稿の検知を行う。透過光検出器１４１が原稿によって遮光され光を受光しない場合、原稿が有ると判定される。給紙トレイ１５０に原稿が有る場合、Ｓ６０４に戻る。一定時間経過しても給紙トレイ１５０に原稿が無い場合はＳ６１１へ進む。
【００５８】
Ｓ６１１で、給紙を終了する。原稿が無いため搬送モーター１２０の回転駆動を中止する。また、透過光検出器１４１、反射光検出器１４１での原稿の検知、および発光部１４０の発光を終了する。
【００５９】
Ｓ６１２で、終了する。自動給紙による画像読取を終了する。
【００６０】
このようにすることで、給紙トレイおよび搬送経路での原稿を検知する際に発光部で使用する電力量を最適にして電力消費を低減することができる。
【符号の説明】
【００６１】
１２０  搬送モーター
１２１  搬送ローラ
１３０  画像読取部
１４０  発光部
１４５  集光レンズ
１５０  給紙トレイ
１４１  透過光検出器
１４２  反射光検出器
【図１】
2020036238.tif 000003
【図２】
2020036238.tif 000004
【図３】
2020036238.tif 000005
【図４】
2020036238.tif 000006
【図５】
2020036238.tif 000007
【図６】
2020036238.tif 000008